(57)【特許請求の範囲】
【請求項１】
穀物を収容する貯留室（２）と、この貯留室（２）から穀物を受けて熱風によって乾燥する乾燥室（３）と、この乾燥室（３）から受けた穀物を集めて送出する集穀室（４）とを上から順に配置した箱体を構成するとともに、前記集穀室（４）から前記貯留室（２）に穀物を送る昇降機（１７）を備える穀物乾燥機において、
前記集穀室（４）には、集穀室（４）には、穀物を傾斜案内する穀物流下板（２１）と、この穀物流下板（２１）の傾斜下端で受けた穀物を前記昇降機（１７）に送出する下部螺旋（２５）と、張込穀物中の異物を分離除去する異物選別機（２２）とを備え、
前記集穀室（４）の前面板（４ａ）には、穀物を機体外から前記異物選別機（２２）に受け渡し可能とする開口部（４ｄ）を設け、
前記異物選別機（２２）は、穀物を透過して異物と分離する穀物透過スリット(２２ｂ)が複数形成された円筒型選別網（２２ａ）によって構成し、
前記円筒型選別網（２２ａ）は、前記箱体の長手方向に沿って前記集穀室（４）内に回動可能に配置され、かつ、前記集穀室（４）の前記開口部（４ｄ）に臨む始端部から、前記集穀室（４）の背面板（４ａ）に臨む終端部に向けて設けられており、
また、前記集穀室（４）の側面板（４ｃ）に開閉可能な点検蓋（４ｆ）を設けるとともに、弾性部材からなる板状のスクレーパ（２８）を前記点検蓋（４ｆ）の内面に設けて、前記点検蓋（４ｆ）が閉状態において、前記スクレーパ（２８）が前記円筒型選別網（２２ａ）の外周面に当接するように構成したことを特徴とする穀物乾燥機。
【請求項２】
前記円筒型選別網（２２ａ）の内周面に沿って螺旋状の送り羽（２２ｄ）を形成したことを特徴とする請求項１に記載の穀物乾燥機。
【請求項３】
前記集穀室（４）の前面板（４ａ）には、前記開口部（４ｄ）から前記円筒型選別網（２２ａ）の始端部に至る穀物投入用の張込ホッパ（２３）を設けるとともに、前記円筒型選別網（２２ａ）の終端位置に異物を受ける異物収容部（２４）を設け、この異物収容部（２４）に異物取出口を設けたことを特徴とする請求項１又は請求項２に記載の穀物乾燥機。
【請求項４】
前記円筒型選別網（２２ａ）の始端部に、所定範囲に亘って、無孔の案内部（２２ｃ）を設けたことを特徴とする請求項１から請求項３のいずれか１項に記載の穀物乾燥機。
【発明の詳細な説明】
【技術分野】
【０００１】
本発明は、バーナ加熱した熱風によって籾等の穀物を循環乾燥する穀物乾燥機に関するものである。
【背景技術】
【０００２】
特許文献１に記載の穀物乾燥機が知られている。この穀物乾燥機は、上から順に貯留部、乾燥部、集穀室を箱型に配置して構成され、これに昇降部を備えて籾等の穀物を循環しつつ長時間に及ぶ熱風乾燥運転により、穀物全体を一様に乾燥することができる。
【０００３】
上記穀物乾燥機については、貯留部の入口に異物選別部を設け、脱穀等の際に混入したワラ屑等の夾雑異物を除去できる。
【先行技術文献】
【特許文献】
【０００４】
【特許文献１】特許第５２５７８３７号公報
【発明の概要】
【発明が解決しようとする課題】
【０００５】
しかしながら、貯留部の入口に配置した異物選別部は、目詰まりの清掃や、分離異物の取出し等のために定期的なメンテナンス作業が必要なことから、その都度、穀物乾燥機の最上部に登り、穀物乾燥機上部における不安定な高所作業および取出した分離異物の搬出作業を強いられていた。
【０００６】
本発明は、不安定な高所作業を要することなく、安定して異物選別部のメンテナンス作業を可能とする穀物乾燥機を提供することにある。
【課題を解決するための手段】
【０００７】
請求項１に係る発明は、穀物を収容する貯留室（２）と、この貯留室（２）から穀物を受けて熱風によって乾燥する乾燥室（３）と、この乾燥室（３）から受けた穀物を集めて送出する集穀室（４）とを上から順に配置した箱体を構成するとともに、前記集穀室（４）から前記貯留室（２）に穀物を送る昇降機（１７）を備える穀物乾燥機において、前記集穀室（４）には、集穀室（４）には、穀物を傾斜案内する穀物流下板（２１）と、この穀物流下板（２１）の傾斜下端で受けた穀物を前記昇降機（１７）に送出する下部螺旋（２５）と、張込穀物中の異物を分離除去する異物選別機（２２）とを備え、前記集穀室（４）の前面板（４ａ）には、穀物を機体外から前記異物選別機（２２）に受け渡し可能とする開口部（４ｄ）を設け、前記異物選別機（２２）は、穀物を透過して異物と分離する穀物透過スリット(２２ｂ)が複数形成された円筒型選別網（２２ａ）によって構成し、前記円筒型選別網（２２ａ）は、前記箱体の長手方向に沿って前記集穀室（４）内に回動可能に配置され、かつ、前記集穀室（４）の前記開口部（４ｄ）に臨む始端部から、前記集穀室（４）の背面板（４ａ）に臨む終端部に向けて下降傾斜するように設けられており、また、前記集穀室（４）の側面板（４ｃ）に開閉可能な点検蓋（４ｆ）を設けるとともに、弾性部材からなる板状のスクレーパ（２８）を前記点検蓋（４ｆ）の内面に設けて、前記点検蓋（４ｆ）が閉状態において、前記スクレーパ（２８）が前記円筒型選別網（２２ａ）の外周面に当接するように構成したことを特徴とする。
【０００８】
請求項２に係る発明は、請求項１の発明において、前記円筒型選別網（２２ａ）の内周面に沿って螺旋状の送り羽（２２ｄ）を形成したことを特徴とする。
【０００９】
請求項３に係る発明は、請求項１または請求項２の発明において、前記集穀室（４）の前面板（４ａ）には、前記開口部（４ｄ）から前記円筒型選別網（２２ａ）の始端部に至る穀物投入用の張込ホッパ（２３）を設けるとともに、前記円筒型選別網（２２ａ）の終端位置に異物を受ける異物収容部（２４）を設け、この異物収容部（２４）に異物取出口を設けたことを特徴とする。
【００１０】
請求項４に係る発明は、請求項１から請求項３の発明において、前記円筒型選別網（２２ａ）の始端部に、所定範囲に亘って、無孔の案内部（２２ｃ）を設けたことを特徴とする。
【発明の効果】
【００１１】
請求項１に係る発明により、集穀室（４）に設けた異物選別機（２２）により、ワラ屑等の異物が分離された張込穀物が、穀物流下板（２１）と下部螺旋（２５）を経て循環して処理されることから、張込まれた穀物について異物選別して循環経路に移行できる。また、異物選別機（２２）の配置位置を低くすることができるので、メンテナンスおよび異物廃棄の操作が容易になる。
また、異物選別機（２２）は、張込穀物を集穀室（４）の壁面（４ａ）の開口部（４ｄ）から円筒型選別網（２２ａ）に受け、穀物透過スリット(２２ｂ)により穀粒を透過させてワラ屑等の異物を分離することができる。
また、集穀室（４）の側面板（４ｃ）に設けた点検蓋（４ｆ）を閉じると、点検蓋（４ｆ）の内面に設けた弾性のあるスクレーパ（２８）が前記円筒型選別網（２２ａ）の外周面に当接することにより、点検蓋（４ｆ）を閉じるだけで円筒型選別網（２２ａ）の外周清掃が可能となり、かつ、点検蓋（４ｆ）を開けるだけでスクレーパ（２８）の交換等のメンテナンスが可能となる。
【００１２】
請求項２に係る発明により、請求項１の発明の効果に加え、円筒型選別網（２２ａ）の回転に伴う送り羽（２２ｄ）の作用によって、軽い藁ゴミ等の異物の移動を補助することができる。
【００１３】
請求項３に係る発明により、請求項１または請求項２の発明の効果に加え、集穀室（４）の壁面（４ａ）に設けた張込ホッパ（２３）から穀物を投入することによって容易に穀物張込みができ、円筒型選別網（２２ａ）に残留した異物を円筒の終端位置で異物収容部（２４）に送ることができ、異物収容部（２４）の異物取出口から残留異物を容易に取出すことができる。
【００１４】
請求項４に係る発明により、請求項１から請求項３の発明の効果に加え、無孔の案内部（２２ｃ）を円筒の始端側に形成することで、穀物投入時に混入する藁ゴミ等の異物を寝かせた姿勢にして円筒型選別網（２２ａ）内を案内することができ、異物が選別スリット（２２ｂ）に刺さって円筒型選別網（２２ａ）に目詰まりが生じることを防止できるので、選別効率の悪化を抑止することができる。

【図面の簡単な説明】
【００１５】
【図１】穀物乾燥機の内部透視側面図
【図２】穀物乾燥機の内部透視正面図
【図３】集穀室の要部正面図
【図４】集穀室の要部側面図
【図５】円筒型選別網の側面図
【図６】円筒型選別網の内周部構成の側面図
【図７】円筒型選別網の外周部構成の側面図
【図８】円筒型選別網の支持部の拡大正面図
【図９】円筒型選別網周りの構成図
【図１０】穀物乾燥機に装着した乾燥機ゴミ取り装置の側面図
【図１１】ゴミ取り装置の使用状態（ａ）と収納状態（ｂ）の要部側面図
【図１２】別構成の乾燥機ゴミ取り装置を装着した穀物乾燥機の内部透視正面図
【発明を実施するための形態】
【００１６】
まず、この発明を具備する穀物乾燥機の全体構成について説明する。図１、図２は、穀物乾燥機の内部透視側面図、および内部透視正面図である。
１は穀物乾燥機の機枠で、上から順に貯留室２、乾燥室３、集穀室４が積み重ねられている。乾燥室３内には、通気性網体５ａ，５ａを左右に対向させて傾斜状の穀物流下通路５，５を形成し、左右一対の穀物流下通路５，５を正面視Ｖ字型に形成している。各穀物流下通路５，５の上位側は更にＶ字型を形成するように左右の穀物流下通路５，５の内側を断面菱形の空間部とし、この空間部を熱風室６に形成している。なお、菱形断面の空間形成体のうち下半部は通気網体により構成し、Ｖ字型の上半部は非通気性の板材により構成している。
【００１７】
穀物流下通路５，５下端の左右合流部下方には繰出バルブ７を設けている。この繰出バルブ７は断面円形の筒体に構成されていて、正回転及び逆回転に伴って外周の一部に形成した導入口部から穀物を受入れて、正逆回転に従って下方の集穀室４に落下させる構成である。
【００１８】
乾燥室３内側の菱型空間部に形成した熱風室６内には、多角形の筒状に構成されていて乾燥室３正面側壁から後面側壁に亘る長さに形成された遠赤外線放射体１０を配置し、機壁前面及び後面に夫々着脱自在に固着している。
【００１９】
前記遠赤外線放射体１０の入口側には、乾燥機正面に配置するバーナ１３からの熱風を受入れる構成である。即ち、例えば気化型バーナ１３を中心部に配置したバーナ風胴１４を機体前側壁に取付け、このバーナ風胴１４と遠赤外線放射体１０の入口部とを連通している。
【００２０】
機体の背面側には、吸引ファン１５を設け、この吸引ファン１５の起風によって、菱形空間である熱風室６から穀物流下通路５，５を経て、穀物流下通路５，５の外側に形成される排風路１６，１６に向けて通風するように構成している。
【００２１】
集穀室４には、その中央に移送螺旋を備えた下部搬送装置２５と、乾燥室３から受けた穀物、又は図示はしないが、機体の側面から張り込まれた穀物を中央に傾斜案内する左右の穀物流下板２１，２１とを設け、繰出バルブ７から繰り出した穀粒を下部搬送装置２５で受けて例えば機体の正面側に移送する。また、集穀室４の片側端に沿って後述の異物選別機２２を前後方向に配置し、その一端を穀物張込口として張込穀物中のワラ屑等の比較的大きな夾雑異物を分離する。
【００２２】
機体の正面側には昇降機１７を設け、内部にバケット１７ａ，１７ａ…を備え、下部搬送装置２５からの穀粒を掬い上げて上部天井に設ける上部搬送装置３１の始端部に揚穀するように構成している。移送螺旋を備えた上部搬送装置３１の終端側の天井中央部には垂下軸３２を設け、この垂下軸３２に回転拡散板３３を取付けている。
【００２３】
機体の背面側には、吸引ファン１５を設け、この吸引ファン１５の起風によって、菱形空間である熱風室６から穀物流下通路５，５を経て、穀物流下通路５，５の外側に形成される排風路１６，１６に向けて通風するように構成している。
【００２４】
（異物選別機）
異物選別機２２について詳細に説明すると、集穀室の要部正面図および要部側面図を図３、図４に示すように、集穀室４の左右いずれかの片側端に沿って前後方向に延びる円筒型選別網２２ａを集穀室４の前面板４ａから背面板４ｂまで下降傾斜に配置し、その一端を前面板４ａに形成した投入用開口４ｄに取付けた張込ホッパ２３と連通し、また他端に異物収容部である異物ボックス２４を設けて異物を収容可能に構成する。異物ボックス２４には異物を機体外に取出すための取出口を設ける。円筒型選別網２２ａは、機体前面から取出し可能に構成し、また、左右の集穀室４のいずれにも選択によって取付け可能に構成する。
【００２５】
円筒型選別網２２ａは、その側面図を図５に示すように、円筒部材に四角または軸線方向に長いスリットを多数打ち抜いた多孔部２２ｂによって穀物を透過することにより、ワラ屑等の比較的大きな夾雑物を分離可能に構成するとともに、無孔の案内部２２ｃを投入端側の所定長さ（少なくとも２００mm程度）に形成して投入時の藁ゴミ姿勢を寝かして案内することにより、藁ゴミが孔に刺さって生じる入口部の詰りを防止して選別効率を確保することができる。
【００２６】
円筒型選別網２２ａの多孔部２２ｂの内面には、内周部構成の側面図を図６に示すように、多孔部の内周面に高さ３０mm程度の送り羽２２ｄを螺旋状に形成することにより、回転に伴う送り羽２２ｄの作用によって軽い藁ゴミの移動を補助することができる。
【００２７】
円筒型選別網２２ａの多孔部２２ｂの外面には、外周部構成の側面図を図７に示すように、長手方向の三分割程度の位置に補強リング２２ｅ…を設け、軽い長藁が円筒型選別網２２ａに引掛かった場合に、集穀室４の側壁を開き、円筒型選別網２２ａを回転させながら補強リング２２ｅ…を叩くことにより、軽い長藁を網から浮かせて排出することができる。
【００２８】
円筒型選別網２２ａの支持部は、その拡大正面図を図８に示すように、集穀室４の前面板４ａと背面板４ｂそれぞれに上下のローラ支持部２６ａ，２６ｂを設けて円筒型選別網２２ａの両端外周を４つのローラによってそれぞれ軸支する。上側のローラ支持部２６ａは、乾燥網５ａの近傍に固定配置の２つのローラＲ，Ｒによって構成し、下側のローラ支持部２６ｂは、穀物流下板２１の近傍で内側配置のローラＲを支点に外側配置のローラＲの位置を切替えて円筒型選別網２２ａを投入開口部４ｄの位置から開口蓋４ｅの位置に移動して取出し可能に軸支する。
【００２９】
また、円筒型選別網２２ａ周りの構成図を図９に示すように、集穀室４の背面板４ｂに設けた上側のローラ支持部２６ａの内側ローラＲを下部搬送装置である下部螺旋２５から伝動ベルト２７によって駆動して円筒型選別網２２ａを回動する。この円筒型選別網２２ａの外周に接して、ゴム板によるスクレーパ２８を設け、集穀室４の側面板４ｃに設けた点検蓋４ｆの内面にスクレーパ２８を保持することにより、点検蓋４ｆを閉じるだけで円筒型選別網２２ａの外周清掃が可能となり、また、点検蓋４ｆを開けるだけでスクレーパ２８の交換等のメンテナンスが可能となる。
【００３０】
上述の構成による穀物乾燥機１は、その作動により、前記集穀室４の穀物流下板２１に受けた穀物が傾斜下端の下部螺旋２５から昇降機１７に送出されて貯留室２に循環され、また、穀物流下板２１の上方に設けた異物選別機２２によりワラ屑等の異物が分離された張込穀物についても同様に穀物流下板２１と下部螺旋２５を経て循環して処理されることから、集穀室４に設けた異物選別機２２により、集穀室４に張込まれた穀物について異物選別して循環経路に移行できるので、箱体下部における異物選別機２２について、目詰まりの清掃および異物搬出等のメンテナンス作業が、高所作業を要することなく、可能となる。
【００３１】
前記異物選別機２２は、直方体形状の箱体の長手端の壁面４ａの開口部４ｄから投入した張込穀物を円筒型選別網２２ａに受け、穀物透過スリット２２ｂにより穀粒を透過してワラ屑等の異物を分離することができ、また、直方体形状に構成した箱体の長手方向に沿う異物除去行程によって最大限の選別容量を確保することができる。
【００３２】
また、前記異物選別機２２は、箱体構成の長手端の壁面の張込ホッパ２３から円筒型選別網２２ａに穀物を投入することによって容易に穀物張込みができ、また、終端の異物収容部２４の異物取出口から残留異物を容易に取出すことができる。
【００３３】
また、穀物乾燥機１の構成部材に取付けたローラ２６ａ，２６ｂによって円筒型選別網２２ａが回動可能に支持されることから、異物選別機２２を簡易かつ安定動作可能に構成することができる。
【００３４】
なお、上述の円筒型選別網２２ａを構成する円筒部材は、円筒部材に準じる多角形筒部材、すなわち、大きな異物を分離可能に構成することが可能な３０〜４０角程度の多角形筒部材を含む。
【００３５】
（ゴミ取り装置）
次に、乾燥機ゴミ取り装置について説明する。
乾燥機ゴミ取り装置４１は、装着構成の側面図を図１０に示すように、清掃用のシート４１ａをロール状に構成して穀物乾燥機１の背面に取付ける。この乾燥機ゴミ取り装置４１は、使用状態を図１１（ａ）に示すように、シート４１ａの一端をドラム４２に固定し、他方はシート４１ａが水平に保てるようにバー４１ｂを取付けて取出し用のひも４１ｃを接続し、ドラム４２には巻取り用のハンドル４２ａを設けて構成することにより、ゴミを機体の前面側に排出することができる。また、収納状態を図１１（ｂ）に示すように、ハンドル４２ａを回せばシート４１ａを巻取ることができる。
【００３６】
このように、上記構成の乾燥機ゴミ取り装置４１は、簡単で安価な構成で乾燥機にセットすることができ、清掃時の取出しが簡単、収納も簡単な便利なツールとなり、例えば、乾燥機の中央部で清掃が困難な下部螺旋２５の排出部について、ブルーシートなどを敷いてユーザの個別対応を強いられることなく、簡易に対処することが可能となるとともに、乾燥機に簡単に装着できることから、既存の乾燥機に後付けにも適する。
【００３７】
また、別の構成例による乾燥機ゴミ取り装置４３は、穀物乾燥機の内部透視正面図を図１２に示すように、清掃用のシート４３ａの一端を下部螺旋２５の回動支点側に取付け、シート４３ａの他端を穀物流下板２１の上端に引掛けて構成する。清掃時は、シート４３ａの他端を外して床面に敷き、回動によって下部螺旋２５の底が開くことにより、乾燥機内のゴミを機体の外側方に排出することができる。
【符号の説明】
【００３８】
１      穀物乾燥機
２      貯留室
３      乾燥室
４      集穀室
４ａ    前面板（前壁）
４ｂ    背面板（後壁）
４ｄ    投入開口部
１７    昇降機
２１    穀物流下板
２２    異物選別機
２２ａ  円筒型選別網
２２ｂ  穀物透過スリット（多孔部）
２３    張込ホッパ
２４    異物ボックス（異物収容部）
２５    下部螺旋（下部搬送装置）
２６ａ  ローラ支持部
２６ｂ  ローラ支持部
【図１】
0006493726.tif 000002
【図２】
0006493726.tif 000003
【図３】
0006493726.tif 000004
【図４】
0006493726.tif 000005
【図５】
0006493726.tif 000006
【図６】
0006493726.tif 000007
【図７】
0006493726.tif 000008
【図８】
0006493726.tif 000009
【図９】
0006493726.tif 000010
【図１０】
0006493726.tif 000011
【図１１】
0006493726.tif 000012
【図１２】
0006493726.tif 000013